【事件の表示】
　特願２０１８−　８６９４５号「遊技機」拒絶査定不服審判事件〔令和　１年１０月３１日出願公開、特開２０１９−１８８００１号、請求項の数（１）〕について、次のとおり審決する。
【結　論】
　原査定を取り消す。
　本願の発明は、特許すべきものとする。
【理　由】
第１　手続の経緯
　本願は、平成３０年４月２７日の出願であって、令和１年９月２４日付けで拒絶の理由が通知され、同年１１月２８日に意見書及び手続補正書が提出され、令和２年１月６日付けで最後の拒絶の理由が通知され、同年３月１３日に意見書及び手続補正書が提出されたところ、同年５月１４日付け（送達日：同年５月１９日）で、同年３月１３日付け手続補正が却下されるとともに拒絶査定（以下、「原査定」という。）がなされ、それに対して、同年８月１８日に拒絶査定不服審判の請求がなされると同時に手続補正がなされたものである。
第２　原査定の概要
　原査定の概要は次のとおりである。
　本願請求項１に係る発明は、その出願前に日本国内又は外国において、頒布され、又は電気通信回線を通じて公衆に利用可能となった以下の引用文献１及び２に基いて、その発明の属する技術の分野における通常の知識を有する者（以下、「当業者」という。）が容易に発明できたものであるから、特許法第２９条第２項の規定により特許を受けることができない。
引用文献等一覧
１．特開２０１６−１３７１９５号公報
２．特開２００８−１２６００８号公報
第３　令和２年８月１８日に提出された手続補正書による補正（以下、「本件補正」という。）について
１　本件補正
　本件補正は、特許請求の範囲を補正する内容を含んでおり、本件補正により、特許請求の範囲の請求項１は、
（補正後：令和２年８月１８日付け手続補正書による補正）
「【請求項１】
Ａ　本体後側に配置され且つ複数段階の甲値に関する選択操作が可能な甲操作手段と、
Ｂ　本体前側に配置され且つ複数段階の乙値に関する選択操作が可能な乙操作手段と、
Ｃ　前記甲操作手段により得られた前記甲値及び前記乙操作手段により得られた前記乙値に基づいて、エラー音を含まない通常音に関する音量である所定値を設定可能な所定値設定手段とを備え
、
Ｄ　
電源投入時に、所定条件に基づいて実行されるＲＡＭクリア処理を含む電源投入処理を実行するように構成された
Ｅ　遊技機において、
Ｆ１　前記甲操作手段の操作により第１甲値が選択され且つ前記乙操作手段の操作により第１乙値が選択された場合に第１所定値が設定され、
Ｆ２　前記甲操作手段の操作により前記第１甲値が選択され且つ前記乙操作手段の操作により前記第１乙値よりも大となる第２乙値が選択された場合に第２所定値が設定され、
Ｇ１　前記甲操作手段の操作により第２甲値が選択され且つ前記乙操作手段の操作により前記第１乙値が選択された場合に第３所定値が設定され、
Ｇ２　前記甲操作手段の操作により前記第２甲値が選択され且つ前記乙操作手段の操作により前記第２乙値が選択された場合に第４所定値が設定され、
Ｉ１　前記第１所定値と前記第３所定値とを同一とし、
Ｉ２　前記第１所定値と前記第２所定値との変化量と、前記第３所定値と前記第４所定値との変化量とを異ならせ、
Ｆ３　前記第１甲値が選択され且つ前記乙操作手段の操作により選択可能な上限乙値が選択されている場合に第１上限所定値が設定され、
Ｇ３　前記第２甲値が選択され且つ前記乙操作手段の操作により選択可能な上限乙値が選択されている場合に第２上限所定値が設定され、
Ｉ３　前記第１上限所定値と前記第２上限所定値とを異ならせ、
Ｊ１　前記甲操作手段により得られた前記甲値に基づいて、エラー音設定テーブルから前記エラー音に関するエラー音量を設定可能であり、
Ｊ２　
前記ＲＡＭクリア処理が行われたことを報知するＲＡＭクリア報知中を含むエラー発生中は、ＲＡＭクリア報知音を含む前記エラー音を前記エラー音量にて出力し、
Ｊ３　前記甲値を変更した場合、前記エラー音設定テーブルの参照先は変化する一方、
前記所定値の値にかかわらず、
Ｊ４　前記特定値は、前記第１上限所定値及び前記第２上限所定値よりも大きな値で
あり、
Ｊ５　
前記ＲＡＭクリア報知中は、前記甲操作手段による前記所定値の設定を可能とする
Ｅ　ことを特徴とする遊技機。」へと補正された（下線は、補正箇所を明示するために当審で付した。また、符号ＡからＪ５は、当審にて分説して付した。）。
２　補正の適否
（１）本件補正
　本件補正は、補正前の請求項１について、
（ｉ）発明を特定するために必要な事項である「エラー音に関するエラー音量」について、「前記ＲＡＭクリア処理が行われたことを報知するＲＡＭクリア報知中を含むエラー発生中は、ＲＡＭクリア報知音を含む前記エラー音を前記エラー音量にて出力」することを限定し、それに必要な前提として、「電源投入時に、所定条件に基づいて実行されるＲＡＭクリア処理を含む電源投入処理を実行するように構成された」ことを加えるとともに、
（ｉｉ）発明を特定するために必要な事項である「前記エラー音量として共通の特定値を参照することで、当該エラー音量が変化しないように構成され」ることについて、「前記所定値の値にかかわらず」という限定を加え、
（ｉｉｉ）発明を特定するために必要な事項である「所定値を設定可能」であることについて、「前記ＲＡＭクリア報知中は、前記甲操作手段による前記所定値の設定を可能とする」という限定を加えるものである。
（２）補正目的
　上記（１）の補正事項（ｉ）〜（ｉｉｉ）は、補正前の発明特定事項に限定を加えるものであって、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
（３）新規事項
　本件補正は、願書に最初に添付した明細書又は図面の【００５７】、【００５９】、【０１１５】、【０２３８】、【０２６０】〜【０２６４】、図８、図９、図３４の記載からみて新規事項を追加するものではないから、特許法第１７条の２第３項に掲げる要件を満たす。
（４）独立特許要件
　「第４　本願発明」から「第６　対比・判断」までに示すように、補正後の請求項１に係る発明は、独立特許要件を満たすものであるから、特許法第１７条の２第６項において準用する同法第１２６条第７項の規定に適合する。
第４　本願発明
　本願発明は、本件補正により補正された、上記「第３　１　本件補正」で示した特許請求の範囲の請求項１に記載されたとおりのものである。
第５　引用文献１に記載された発明
１　引用文献１に記載された事項
　原査定の拒絶理由において引用された特開２０１６−１３７１９５号公報（以下、「引用文献１」という。）には、図面と共に次の事項が記載されている（下線は当審にて付した。以下同じ。）。
（１）記載事項
ア　「【技術分野】
【０００１】
　本発明は、弾球遊技台（パチンコ機）、回胴遊技台（スロットマシン）、封入式遊技台あるいはメダルレススロットマシンに代表される遊技台に関する。
・・・
【０００５】
　本発明の目的は、発光手段に特徴を持った遊技台を提供することにある。」
イ　「【００１１】
　まず、図１を用いて、本発明の実施形態に係るパチンコ機１００の全体構成について説明する。なお、同図はパチンコ機１００を正面側（遊技者側）から見た外観斜視図である。
・・・
【００１５】
　また、チャンスボタン１３６の正面視右横には、第１出力設定スイッチ（第一の操作手段）１９０を配設している。この第１出力設定スイッチ１９０は、パチンコ機１００の
スピーカ
１２０から出力する音
ＢＧＭ、効果音、エラー音等
の音量（音圧）
第１出力設定スイッチ１９０
パチンコ機１００の正面に配設され
・・・
【００２１】
　ＲＷＭクリアスイッチ１８０は、操作を行いながらパチンコ機１００の電源投入を行うことで、ＲＷＭクリア（ＲＡＭの初期化）を行うことができるスイッチである。なお、ＲＡＭクリアスイッチ１８０は、操作を行いながらパチンコ機１００の電源投入を行った場合に、所定の報知（例えば、「ＲＡＭクリアする場合はもう一度押してください」という文字表示や音、または、文字表示と音の両方）を行い、再度、操作を行った場合に、ＲＡＭクリアを行うように構成してもよい。
【００２２】
　また、第１副基板ケース１６２の左上には、第２出力設定スイッチ（第二の操作手段）１９４を配設している。この第２出力設定スイッチ１９４は、パチンコ機１００の
スピーカ
１２０から出力する音
ＢＧＭ、効果音、エラー音等
の音量（音圧）
第２出力設定スイッチ１９４
パチンコ機１００の背面に配設され
ウ　「【０４８１】
　図３６（ａ）は、スピーカ１２０から出力される音の音量（音圧）の設定値を示す音量設定テーブルの一例である。この音量設定テーブルは、遊技台の記憶手段（本例では、第１副制御部４００のＲＯＭ４０６）に予め記憶されるテーブルである。
【０４８２】
　
第１副制御部４００
音量設定テーブルを参照するとともに、第２出力設定スイッチ１９２による設定値に基づいて、音量の初期値や音量の調整可能範囲の設定を行う
・・・
【０４８４】
　
音量（音圧）は、第２出力設定スイッチ１９４の操作によって管理者設定値
を変更するか、設定値調整モードにおいて、第１出力設定スイッチ１９０の操作によって遊技者設定値
を変更することにより調整可能である
【０４８５】
　本例では、第２出力設定スイッチ１９４による設定のうち「１」〜「Ｆ」は通常営業用（通常モード）や開発および販促用に使用され、「０」は申請用に使用される。
・・・
【０４９０】
　設定が「６」であるときには、音圧の初期値は１１４ｄＢに設定され、音量設定の初期位置は２に設定される。すなわち、設定値調整モードに遷移したとき、音量のユーザー設定値はデフォルトとして目盛り２（音圧１１４ｄＢ）に設定される。設定値調整モードにおける第１出力設定スイッチ１９０の操作により、音量調整画面の目盛り０〜５のそれぞれに対応して、音圧０ｄＢ、７２ｄＢ、１１４Ｂ、１２８ｄＢ、１４４Ｂ、および１５２ｄＢの各レベルに調整可能である。
【０４９１】
　設定が「５」〜「４」であるときには、音圧の初期値は９１ｄＢに設定され、音量設定の初期位置は２に設定される。すなわち、調整値設定モードに遷移したとき、音量のユーザー設定値はデフォルトとして目盛り２（音圧９１ｄＢ）に設定される。また、設定「５」〜「４」のときには、設定「９」〜「６」のときと比較して、音量調整画面で調整可能な音圧レベルの範囲が全体的に狭くなっており、設定値調整モードにおける第１出力設定スイッチ１９０の操作により、音量調整画面の目盛り０〜５のそれぞれに対応して、音圧が０ｄＢ、７２ｄＢ、９１ｄＢ、１０２ｄＢ、１０８ｄＢ、および１１４ｄＢの各レベルに調整可能である。」
エ　図３６（ａ）
「【図３６（ａ）】
」
オ　「【０４９９】
　図３６（ｂ）は、第１出力設定スイッチ１９０の正面図である。上述のとおり、この第１出力設定スイッチ１９０は、パチンコ機１００のスピーカ（音出力手段）１２０から出力する音（例えば、ＢＧＭ、効果音、エラー音等）の音量（音圧）や、各種ＬＥＤ・各種ランプ（光出力手段。以下、「発光手段」と称する場合がある）の輝度（光量）を調整するための操作手段である。
・・・
【０５０２】
＜特別演出中の音量設定／出力設定スイッチ／第２出力設定スイッチ＞
【０５０３】
　図３６（ｃ）は、第２出力設定スイッチ１９４の正面図である。上述のとおり、この第２出力設定スイッチ１９４は、パチンコ機１００のスピーカ（音出力手段）１２０から出力する音（例えば、ＢＧＭ、効果音、エラー音等）の音量（音圧）や、各種ＬＥＤ・各種ランプ（光出力手段。以下、「発光手段」と称する場合がある）の輝度（光量）を調整するための操作手段である。
・・・
【０５２４】
  続く図３８（ｂ）は、島一斉演出中の状態を示しており、続く図３８（ｃ）〜同図（ｄ）は、島一斉演出中にエラーが発生した状態を示している。第１副制御部４００は、予め定めたエラー（本例では、前面枠扉１０６が開放されたことを示す扉開放エラー）が発生したことを契機として、演出に用いる音（第一の種類の音）の音量を消音するとともに、エラー報知に用いる音（第二の種類の音）の音量を、現在の音量設定値の音量（第一の音量。本例では、０ｄＢ）から、現在の音量値設定において第１出力設定スイッチ１９０（遊技者操作）によって設定することが可能な最大音量（第二の音量。本例では、目盛り５に対応する音量）に変更している。」
（２）認定事項
ア　認定事項ア
　引用文献１の【０４８１】には、「図３６（ａ）は、スピーカ１２０から出力される音の音量（音圧）の設定値を示す音量設定テーブルの一例である。」と、【０４８４】には、「音量（音圧）は、・・・第２出力設定スイッチ１９４の操作によって管理者設定値（目盛り０〜Ｆ）を変更するか、設定値調整モードにおいて、第１出力設定スイッチ１９０の操作によって遊技者設定値（目盛り０〜５）を変更することにより調整可能である。」と記載され、また、図３６（ａ）より、音量設定テーブルにおける「出力設定スイッチ」の欄に、縦方向に下側から、「０、１、２、３、４、５、６、７、８、９、Ａ、Ｂ、Ｃ、Ｄ、Ｅ、Ｆ」という１６個の数字及びアルファベットが記載される点、及び、同欄に、横方向に左側から、「０、１、２、３、４、５」という６個の数字が記載される点が見てとれるから、引用文献１には、スピーカ１２０から出力される音の音量（音圧）の調整を行うための設定値に関し、目盛り０、１、２、３、４、５、６、７、８、９、Ａ、Ｂ、Ｃ、Ｄ、Ｅ、Ｆの１６個の管理者設定値を変更する第２出力設定スイッチ１９４、及び、目盛り０、１、２、３、４、５の６個の遊技者設定値を変更する第１出力設定スイッチ１９０を備えることが記載されていると認められる。
イ　認定事項イ
　上記アの検討を踏まえ、スピーカ１２０から出力される音の音量（音圧）の設定値を示す音量設定テーブルを表す図３６（ａ）の記載から、
　引用文献１には、
　第２出力設定スイッチ１９４による管理者設定値が「５」であって、設定値調整モードにおける第１出力設定スイッチ１９０による遊技者設定値が「１」であるときに対応する音量（音圧）が７２ｄｂであり、
　第２出力設定スイッチ１９４による管理者設定値が「５」であって、設定値調整モードにおける第１出力設定スイッチ１９０による遊技者設定値が「２」であるときに対応する音量（音圧）が９１ｄｂであり、
　第２出力設定スイッチ１９４による管理者設定値が「５」であって、設定値調整モードにおける第１出力設定スイッチ１９０による遊技者設定値が「５」であるときに対応する音量（音圧）が１１４ｄｂである各レベルに調整可能であるとともに、
　第２出力設定スイッチ１９４による管理者設定値が「６」であって、設定値調整モードにおける第１出力設定スイッチ１９０による遊技者設定値が「１」であるときに対応する音量（音圧）が７２ｄｂであり、
　第２出力設定スイッチ１９４による管理者設定値が「６」であって、設定値調整モードにおける第１出力設定スイッチ１９０による遊技者設定値が「２」であるときに対応する音量（音圧）が１１４ｄｂであり、
　第２出力設定スイッチ１９４による管理者設定値が「６」であって、設定値調整モードにおける第１出力設定スイッチ１９０による遊技者設定値が「５」であるときに対応する音量（音圧）が１５２ｄｂである各レベルに調整可能であることが記載されていると認められる。
ウ　認定事項ウ
（ア）引用文献１の【０５２４】には、「続く図３８（ｂ）は、島一斉演出中の状態を示しており、続く図３８（ｃ）〜同図（ｄ）は、島一斉演出中にエラーが発生した状態を示している。第１副制御部４００は、予め定めたエラー（本例では、前面枠扉１０６が開放されたことを示す扉開放エラー）が発生したことを契機として、演出に用いる音（第一の種類の音）の音量を消音するとともに、エラー報知に用いる音（第二の種類の音）の音量を、現在の音量設定値の音量（第一の音量。本例では、０ｄＢ）から、現在の音量値設定において第１出力設定スイッチ１９０（遊技者操作）によって設定することが可能な最大音量（第二の音量。本例では、目盛り５に対応する音量）に変更している。」と記載されている。
　引用文献１の【０４８２】には、「第１副制御部４００は、第１副制御部メイン処理のステップＳ６０８（サウンド制御メインループ処理）において、この音量設定テーブルを参照するとともに、第２出力設定スイッチ１９４による設定値に基づいて、音量の初期値や音量の調整可能範囲の設定を行う。」と、【０４８４】には、「音量（音圧）は、第２出力設定スイッチ１９４の操作によって管理者設定値（目盛り０〜Ｆ）を変更する」と、【０４９０】には、「設定が「６」であるときには、音圧の初期値は１１４ｄＢに設定され、音量設定の初期位置は２に設定される。すなわち、設定値調整モードに遷移したとき、音量のユーザー設定値はデフォルトとして目盛り２（音圧１１４ｄＢ）に設定される。設定値調整モードにおける第１出力設定スイッチ１９０の操作により、音量調整画面の目盛り０〜５のそれぞれに対応して、音圧０ｄＢ、７２ｄＢ、１１４Ｂ、１２８ｄＢ、１４４Ｂ、および１５２ｄＢの各レベルに調整可能である。」と記載されている。
（ウ）以上を併せると、上記（ア）で摘記した【０５２４】における「現在の音量値設定」とは、第２出力設定スイッチ１９４による管理者設定値を意味し、【０５２４】における上記「現在の音量値設定において第１出力設定スイッチ１９０（遊技者操作）によって設定することが可能な最大音量（第二の音量。本例では、目盛り５に対応する音量）に変更している。」という記載は、第２出力設定スイッチ１９４による管理者設定値に基づいて設定された音量の調整可能範囲である目盛り０〜５からなる遊技者設定値のうち、最大音量である目盛り５に対応する音量に変更することを意味していると認められる。
　また、上記（ア）で摘記した【０５２４】における「エラー報知に用いる音」は「エラー音」と、同「音量」は「音量（音圧）」とも記載されるから（例えば、【０４９９】等を参照。）、
　引用文献１には、エラーの例として、扉開放エラーが発生したことを契機として、第２出力設定スイッチ１９４による管理者設定値に基づいて設定された音量の調整可能範囲である目盛り０〜５からなる遊技者設定値のうち、最大音量である目盛り５に対応する音量に、エラー音の音量（音圧）を変更することが記載されていると認められる。
（３）引用発明
　上記（１）、（２）を総合すると、引用文献１には、次の引用発明が記載されていると認められる（符号ａ〜ｊ１は、本願発明の分説に対応させて、当審が付した。）。
引用発明
「ａ　パチンコ機１００の背面に配設され、スピーカ１２０から出力するＢＧＭ、効果音、エラー音等の音の音量（音圧）を操作によって目盛り０、１、２、３、４、５、６、７、８、９、Ａ、Ｂ、Ｃ、Ｄ、Ｅ、Ｆの１６個の管理者設定値を変更する第２出力設定スイッチ１９４と（【００２２】、【０４８４】、図３６（ａ）、認定事項ア）、
ｂ　パチンコ機１００の正面に配設され、スピーカ１２０から出力するＢＧＭ、効果音、エラー音等の音の音量（音圧）を操作によって目盛り０、１、２、３、４、５の６個の遊技者設定値を変更する第１出力設定スイッチ１９０と（【００１５】、【０４８４】、図３６（ａ）、認定事項ア）、
ｃ、ｆ１〜ｆ３、ｇ１〜ｇ３、ｉ１〜ｉ３、ｊ１　音量設定テーブルを参照するとともに、第２出力設定スイッチ１９４による設定値に基づいて、音量（音圧）の初期値や音量（音圧）の調整可能範囲の設定を行うとともに、音量（音圧）は、第２出力設定スイッチ１９４の操作によって管理者設定値を変更するか、設定値調整モードにおいて、第１出力設定スイッチ１９０の操作によって遊技者設定値を変更することにより調整可能である第１副制御部４００とを備え（【０４８２】、【０４８４】）、
　第２出力設定スイッチ１９４による管理者設定値が「５」であって、設定値調整モードにおける第１出力設定スイッチ１９０による遊技者設定値が「１」であるときに対応する音量（音圧）が７２ｄｂであり、
　第２出力設定スイッチ１９４による管理者設定値が「５」であって、設定値調整モードにおける第１出力設定スイッチ１９０による遊技者設定値が「２」であるときに対応する音量（音圧）が９１ｄｂであり、
　第２出力設定スイッチ１９４による管理者設定値が「５」であって、設定値調整モードにおける第１出力設定スイッチ１９０による遊技者設定値が「５」であるときに対応する音量（音圧）が１１４ｄｂである各レベルに調整可能であるとともに、
　第２出力設定スイッチ１９４による管理者設定値が「６」であって、設定値調整モードにおける第１出力設定スイッチ１９０による遊技者設定値が「１」であるときに対応する音量（音圧）が７２ｄｂであり、
　第２出力設定スイッチ１９４による管理者設定値が「６」であって、設定値調整モードにおける第１出力設定スイッチ１９０による遊技者設定値が「２」であるときに対応する音量（音圧）が１１４ｄｂであり、
　第２出力設定スイッチ１９４による管理者設定値が「６」であって、設定値調整モードにおける第１出力設定スイッチ１９０による遊技者設定値が「５」であるときに対応する音量（音圧）が１５２ｄｂである各レベルに調整可能であり（認定事項イ）、
　扉開放エラーが発生したことを契機として、第２出力設定スイッチ１９４による管理者設定値に基づいて設定された音量の調整可能範囲である目盛り０〜５からなる遊技者設定値のうち、最大音量である目盛り５に対応する音量に、エラー音の音量（音圧）を変更する（認定事項ウ）、
ｅ　パチンコ機１００（【００２２】）。」
２　引用文献２に記載された技術
　原査定の拒絶理由において引用された特開２００８−１２６００８号公報（以下、「引用文献２」という。）には、図面と共に次の事項が記載されている（下線は当審にて付した。以下同じ。）。
（１）記載事項
ア　「【技術分野】
【０００１】
　本発明は、遊技の進行に合わせて所定の効果音を出力する遊技機に関する。
・・・
【０００６】
　本発明は、従来の技術における上述した課題を解決するためになされたものであり、遊技演出に関する効果音の出力音量を消音から大音量までの範囲で調整可能であるとともに、エラー発生時には、その旨を効果音によって確実に報知することが可能な技術の提供を目的とする。」
イ　「【００３９】
　また、裏機構盤１０２の中央部付近においては、演出制御基板ケース１１４、アンプ基板ケース１１５、装飾駆動基板ケース１１６、サブ制御基板ケース１１７などが設けられている。演出制御基板ケース１１４は、演出表示装置２７を駆動する演出制御基板２３０を収容している。アンプ基板ケース１１５は、各種スピーカ５ｙ、６ｃを駆動するアンプ基板２２６を収容している。装飾駆動基板ケース１１６は、装飾用の各種ＬＥＤやランプを駆動する装飾駆動基板２２８を収容している。サブ制御基板ケース１１７は、これら演出制御基板２３０、アンプ基板２２６や装飾駆動基板２２８などを制御するサブ制御基板２２０を収容している。そして、
サブ制御基板ケース１１７の前面に
各種スピーカ５ｙ，６ｃから出力される音量を調節するための音量設定スイッチ３００
設けられ
ウ　「【００７９】
　ここで、前述したように主制御基板２００は、図１０に示した遊技制御処理を実行する中で、遊技の演出に関する種々の制御コマンド（演出コマンド）をサブ制御基板２２０に向かって出力する。サブ制御基板２２０では、受け取った演出コマンドに基づいて具体的な演出の態様を決定し、演出表示装置２７、各種スピーカ５ｙ，６ｃ、各種ＬＥＤやランプ類４ｂ〜４ｆを用いて様々な演出を行っている。また、遊技機１において何らかの異常が発生した場合には、その旨が主制御基板２００からサブ制御基板２２０に伝達され、サブ制御基板２２０は、演出表示装置２７、各種スピーカ５ｙ，６ｃ、各種ＬＥＤやランプ類４ｂ〜４ｆを用いてエラーの発生を報知するようになっている。そして、本実施例の遊技機１では、エラーの発生を効果音によって確実に報知するために、サブ制御基板２２０によって特別な処理が行われている。以下では、サブ制御基板２２０が効果音によってエラー発生を報知するために行う処理（エラー報知制御処理）の内容について詳しく説明する。・・・
【００８１】
　ここで、本実施例の音量設定スイッチ３００には、いわゆるスライドスイッチが採用されており、前述したように、サブ制御基板ケース１１７の前面に設置されている（図２参照）。図１２は、本実施例の
遊技機１
音量設定スイッチ３００の４つの状態（スイッチ０〜３）の中から何れかの状態を選択することによって効果音の音量を設定可能であ
【００８２】
　このようにして効果音の内容および音量が指定された効果音指定信号を受け取ると、音源ＩＣ２２４では、効果音指定信号の内容に従って、サブ制御基板２２０に搭載されたＲＯＭ２２３から効果音データの読み出しを行う。ＲＯＭ２２３には予め様々な効果音データが記憶されており、その中から指定された効果音に該当するデータを読み出して、ＣＰＵ２２１により指定された音量で効果音データ信号をアンプ基板２２６に向かって出力する。こうして出力された効果音データ信号はアンプ基板２２６で増幅されて、スピーカ５ｙ，６ｃから効果音が出力される。また、音源ＩＣ２２４は、アンプ基板２２６に向けて効果音データ信号を出力すると同時に、効果音の出力中であることを示す信号（出力通知信号）をＣＰＵ２２１に向かって出力している。ＣＰＵ２２１では、この出力通知信号に基づいて、効果音が出力されているか否かを判断可能となっている。
【００８３】
　以上のように、本実施例の遊技機１では、サブ制御基板２２０のＣＰＵ２２１が、主制御基板２００からの演出コマンドまたはエラー報知コマンドに従って、出力する効果音の具体的な内容および音量を指定している。そして、音源ＩＣ２２４が、指定された音量で、指定された効果音データ信号を出力することにより、スピーカ５ｙ，６ｃから効果音が出力されるようになっている。以下では、遊技機１に異常が発生した場合に、サブ制御基板２２０のＣＰＵ２２１が実行するエラー報知制御処理の内容について説明する。・・・
【００８５】
　一方、何れかのエラー報知コマンドを受け取ったと判断した場合には（Ｓ５００：ｙｅｓ）、通常時用の音量テーブルからエラー時用の音量テーブルに変更する処理を行う（Ｓ５０２）。ここで、
音量テーブル
出力する効果音の音量を決定する際に参照する
音量設定スイッチ３００の状態
と効果音の音量との対応関係が設定され
通常時に参照する通常時用の音量テーブルと、エラー発生時に参照するエラー時用の音量テーブルとが設けられ
【００８６】
　図１４は、本実施例の遊技機１で用いられる通常時用の音量テーブルおよびエラー時用の音量テーブルを例示した説明図である。図１４（ａ）に示した
通常時用の音量テーブルでは、
音量設定スイッチ３００がスイッチ０の状態であった場合には、効果音を出力しないことを表し
スイッチ１の状態であれば、効果音を「小」音量で出力するように設定され
スイッチ２の状態であれば「中」音量で出力し、スイッチ３の状態であれば「大」音量で出力するように設定され
【００８７】
　これに対して、図１４（ｂ）に示したエラー時用の音量テーブルでは、スイッチ０に対して「大」音量と設定されている。このため、音量設定スイッチ３００がスイッチ０の状態であった場合には、効果音を「大」音量で出力するようになっている。」
エ　「【００９７】
Ｄ．変形例　：
Ｄ−１．第１変形例　：
　以上に説明した実施例では、通常時用の音量テーブルとエラー時用の音量テーブルとを比較すると、スイッチ０に対する設定のみが変更（「消音」から「大」音量へ）されていた。しかし、エラー時用の音量テーブルは、このような設定に限られるわけではない。例えば、スイッチ０〜スイッチ３の状態の何れに対しても、通常時用の音量テーブルにおける最大音量である「大」音量を設定しておいてもよい。こうすれば、通常時の効果音の音量が「消音」、「小」、「中」、「大」の何に設定されていても（すなわち、音量設定スイッチ３００の状態とは関係なく）、エラー報知音は全て「大」音量で出力されるため、より確実にエラー発生を報知することが可能となる。尚、
エラー時用の音量テーブルのスイッチ０〜スイッチ３のすべてに対して、通常時の音量テーブルにおける最大音量の「大」音量よりも大きな音量を設定してもよい
オ　図１４
（２）上記（１）から、引用文献２には、次の技術（以下、「引用文献２に記載の技術」という。）が記載されていると認められる。
引用文献２に記載の技術
「各種スピーカ５ｙ，６ｃから出力される音量を調節するための音量設定スイッチ３００がサブ制御基板ケース１１７の前面に設けられ（【００３９】）、
　音量設定スイッチ３００の４つの状態（スイッチ０〜３）の中から何れかの状態を選択することによって効果音の音量を設定可能であって（【００８１】）、
　音量設定スイッチ３００の状態と効果音の音量との対応関係が設定され、出力する効果音の音量を決定する際に参照する音量テーブルには、通常時に参照する通常時用の音量テーブルと、エラー発生時に参照するエラー時用の音量テーブルとが設けられ（【００８５】）、
　通常時用の音量テーブルでは、音量設定スイッチ３００がスイッチ０の状態であった場合には、効果音を出力しないことを表し、スイッチ１の状態であれば、効果音を「小」音量で出力するように設定され、スイッチ２の状態であれば「中」音量で出力し、スイッチ３の状態であれば「大」音量で出力するように設定され、エラー時用の音量テーブルのスイッチ０〜スイッチ３のすべてに対して、通常時の音量テーブルにおける最大音量の「大」音量よりも大きな音量を設定する遊技機１という技術（【００８１】、【００８６】、【００９７】）。」
第６　対比・判断
１　対比
　分説に従い、引用発明と本願発明とを対比する。
ア　構成Ａについて
　引用発明の
「パチンコ機１００の背面に配設され」ること、
「スピーカ１２０から出力するＢＧＭ、効果音、エラー音等の音の音量（音圧）を」「変更する」「目盛り」が「１６個」あること、
「管理者設定値」、
「操作によって」「変更する」こと、
「第２出力設定スイッチ１９４」は、それぞれ、
　本願発明の
「本体後側に配置され」ること、
「複数段階」、
「甲値」、
「選択操作が可能」であること、
「甲操作手段」に相当する。
　よって、引用発明の「パチンコ機１００の背面に配設され」、「スピーカ１２０から出力するＢＧＭ、効果音、エラー音等の音の音量（音圧）を」「変更する」「目盛り」が「１６個」ある「管理者設定値」を「操作によって」「変更する第２出力設定スイッチ１９４」は、本願発明の「本体後側に配置され且つ複数段階の甲値に関する選択操作が可能な甲操作手段」に相当するので、引用発明の構成ａは、本願発明の構成Ａに相当する。
イ　構成Ｂについて
　引用発明の
「パチンコ機１００の正面に配設され」ること、
「スピーカ１２０から出力するＢＧＭ、効果音、エラー音等の音の音量（音圧）を」「変更する」「目盛り」が「６個」あること、
「遊技者設定値」、
「操作によって」「変更する」こと、
「第１出力設定スイッチ１９０」は、それぞれ、
　本願発明の
「本体前側に配置され」ること、
「複数段階」、
「乙値」、
「選択操作が可能」であること、
「乙操作手段」に相当する。
　よって、引用発明の「パチンコ機１００の正面に配設され」、「スピーカ１２０から出力するＢＧＭ、効果音、エラー音等の音の音量（音圧）を」「変更する」「目盛り」が「６個」ある「遊技者設定値」を「操作によって」「変更する第１出力設定スイッチ１９０」は、本願発明の「本体前側に配置され且つ複数段階の乙値に関する選択操作が可能な乙操作手段」に相当するので、引用発明の構成ｂは、本願発明の構成Ｂに相当する。
ウ　構成Ｃについて
　上記ア、イより、引用発明の「管理者設定値」、「第２出力設定スイッチ１９４」、「遊技者設定値」、「第１出力設定スイッチ１９０」は、それぞれ、本願発明の「甲値」、「甲操作手段」、「乙値」、「乙操作手段」に相当することを踏まえると、
　引用発明の
「第２出力設定スイッチ１９４による管理者設定値」、
「設定値調整モードにおける第１出力設定スイッチ１９０による遊技者設定値」、
「スピーカ１２０から出力するＢＧＭ、効果音」、
「管理者設定値」と「遊技者設定値」に「対応する音量（音圧）」、
「調整可能である」こと、
「第１副制御部４００」は、それぞれ、
　本願発明の
「前記甲操作手段により得られた前記甲値」、
「前記乙操作手段により得られた前記乙値」、
「通常音」、
「所定値」、
「設定可能」であること、
「所定値設定手段」に相当し、
　引用発明の構成ｃ、ｆ１〜ｆ３、ｇ１〜ｇ３、ｉ１〜ｉ３、ｊ１と本願発明の構成Ｃとは、前記甲操作手段により得られた前記甲値及び前記乙操作手段により得られた前記乙値に基づいて、通常音に関する音量である所定値を設定可能な所定値設定手段とを備える点で共通する。
エ　構成Ｅについて
　引用発明の「パチンコ機１００」は、本願発明の「遊技機」に相当するから、引用発明の構成ｅは、本願発明の構成Ｅに相当する。
オ　構成Ｆ１について
　上記ウより、引用発明の「第２出力設定スイッチ１９４による管理者設定値」、「設定値調整モードにおける第１出力設定スイッチ１９０による遊技者設定値」は、それぞれ、本願発明の「前記甲操作手段により得られた前記甲値」、「前記乙操作手段により得られた前記乙値」に相当するから、
　引用発明の
「管理者設定値」である「「５」」、
「遊技者設定値」である「「１」」、
「対応する音量（音圧）」である「７２ｄｂ」は、それぞれ、
　本願発明の
「第１甲値」、
「第１乙値」、
「第１所定値」に相当し、
　引用発明の「第２出力設定スイッチ１９４による管理者設定値が「５」であって、設定値調整モードにおける第１出力設定スイッチ１９０による遊技者設定値が「１」であるときに対応する音量（音圧）が７２ｄｂであ」ることは、本願発明の「前記甲操作手段の操作により第１甲値が選択され且つ前記乙操作手段の操作により第１乙値が選択された場合に第１所定値が設定され」ることに相当する。
　よって、引用発明の構成ｃ、ｆ１〜ｆ３、ｇ１〜ｇ３、ｉ１〜ｉ３、ｊ１は、本願発明の構成Ｆ１に相当する構成を含んでいる。
カ　構成Ｆ２について
　上記オで検討したとおり、引用発明の「管理者設定値」である「「５」」は、本願発明の「第１甲値」に相当する。
　そして、引用発明の
「「１」」より大きい「遊技者設定値」である「「２」」、
「対応する音量（音圧）」である「９１ｄｂ」は、それぞれ、
　本願発明の
「前記第１乙値よりも大となる第２乙値」、
「第２所定値」に相当し、
　引用発明において、「第２出力設定スイッチ１９４による管理者設定値が「５」であって、設定値調整モードにおける第１出力設定スイッチ１９０による遊技者設定値が「２」であるときに対応する音量（音圧）が９１ｄｂであ」ることは、本願発明の「前記甲操作手段の操作により前記第１甲値が選択され且つ前記乙操作手段の操作により前記第１乙値よりも大となる第２乙値が選択された場合に第２所定値が設定され」ることに相当する。
　よって、引用発明の構成ｃ、ｆ１〜ｆ３、ｇ１〜ｇ３、ｉ１〜ｉ３、ｊ１は、本願発明の構成Ｆ２に相当する構成を含んでいる。
キ　構成Ｇ１、Ｇ２について
　上記オより、引用発明の「遊技者設定値」である「「１」」は、本願発明の「第１乙値」に相当し、上記カより、引用発明の「遊技者設定値」である「「２」」は、本願発明の「第２乙値」に相当することを踏まえて対比を行うと、
　引用発明の
「管理者設定値」である「「６」」、
「対応する音量（音圧）」である「７２ｄｂ」、
「対応する音量（音圧）」である「１１４ｄｂ」は、それぞれ、
　本願発明の
「第２甲値」、
「第３所定値」、
「第４所定値」に相当し、
　引用発明の「第２出力設定スイッチ１９４による管理者設定値が「６」であって、設定値調整モードにおける第１出力設定スイッチ１９０による遊技者設定値が「１」であるときに対応する音量（音圧）が７２ｄｂであり、
　第２出力設定スイッチ１９４による管理者設定値が「６」であって、設定値調整モードにおける第１出力設定スイッチ１９０による遊技者設定値が「２」であるときに対応する音量（音圧）が１１４ｄｂであ」ることは、本願発明の「前記甲操作手段の操作により第２甲値が選択され且つ前記乙操作手段の操作により前記第１乙値が選択された場合に第３所定値が設定され、
　前記甲操作手段の操作により前記第２甲値が選択され且つ前記乙操作手段の操作により前記第２乙値が選択された場合に第４所定値が設定され」ることに相当する。
　よって、引用発明の構成ｃ、ｆ１〜ｆ３、ｇ１〜ｇ３、ｉ１〜ｉ３、ｊ１は、本願発明の構成Ｇ１、Ｇ２に相当する構成を含んでいる。
ク　構成Ｉ１、Ｉ２について
　上記オより、引用発明の「対応する音量（音圧）」である「７２ｄｂ」は、本願発明の「第１所定値」に相当し、
　上記カより、引用発明の「対応する音量（音圧）」である「９１ｄｂ」は、本願発明の「第２所定値」に相当し、
　上記キより、引用発明の「対応する音量（音圧）」である「７２ｄｂ」、同「１１４ｄｂ」は、それぞれ、本願発明の「第３所定値」、「第４所定値」に相当することを踏まえて対比を行うと、
　引用発明の「対応する音量（音圧）」である「７２ｄｂ」にともに相当する本願発明の「第１所定値」と「第３所定値」とは同じ値あり、また、引用発明の「対応する音量（音圧）」である「９１ｄｂ」と「７２ｄｂ」との差は１９ｄｂであって、同「１１４ｄｂ」と「７２ｄｂ」との差は１９ｄｂとは異なる値である４２ｄｂである。
　よって、引用発明の構成ｃ、ｆ１〜ｆ３、ｇ１〜ｇ３、ｉ１〜ｉ３、ｊ１は、本願発明の構成Ｉ１、Ｉ２に相当する構成を含んでいる。
ケ　構成Ｆ３、Ｇ３、Ｉ３について
　上記イより、引用発明の「遊技者設定値」は、本願発明の「乙操作手段」に相当し、上記オより、引用発明の「管理者設定値」である「「５」」は、本願発明の「第１甲値」に相当し、上記キより、引用発明の「管理者設定値」である「「６」」は、本願発明の「第２甲値」に相当することを踏まえて対比すると、
　引用発明の構成ｂより、「第１出力設定スイッチ１９０」の操作により変更する「遊技者設定値」は、「目盛り０、１、２、３、４、５の６個」あるから、「遊技者設定値」である「「５」は、本願発明の「乙操作手段の操作により選択可能な上限乙値」に相当する。
　構成Ｆ３について、引用発明において、「管理者設定値が「５」」（本願発明の「第１甲値」に相当。）であって、「遊技者設定値が「５」」（本願発明の「上限乙値」相当。）「であるときに対応する音量（音圧）」である「１１４ｄｂ」は、本願発明の「第１上限所定値」に相当する。
　構成Ｇ３について、引用発明において、「管理者設定値が「６」」（本願発明の「第２甲値」に相当。）であって、「遊技者設定値が「５」」（本願発明の「上限乙値」相当。）「であるときに対応する音量（音圧）」である「１５２ｄｂ」は、本願発明の「第２上限所定値」に相当する。
　構成Ｉ３について、上記（ア）、（イ）より、引用発明において、「管理者設定値が「５」」（本願発明の「第１甲値」に相当。）であって、「遊技者設定値が「５」」（本願発明の「上限乙値」相当。）「であるときに対応する音量（音圧）」である「１１４ｄｂ」（本願発明の「第１上限所定値」に相当。）と、「管理者設定値が「６」」（本願発明の「第２甲値」に相当。）であって、「遊技者設定値が「５」」（本願発明の「上限乙値」相当。）「であるときに対応する音量（音圧）」である「１５２ｄｂ」（本願発明の「第２上限所定値」に相当。）とは異なる値である。
　そうすると、引用発明において、「第２出力設定スイッチ１９４による管理者設定値が「５」であって、設定値調整モードにおける第１出力設定スイッチ１９０による遊技者設定値が「５」であるときに対応する音量（音圧）が１１４ｄｂである」とともに、「第２出力設定スイッチ１９４による管理者設定値が「６」であって、設定値調整モードにおける第１出力設定スイッチ１９０による遊技者設定値が「５」であるときに対応する音量（音圧）が１５２ｄｂである」という「レベルに調整可能である」ことは、本願発明において、「前記第１上限所定値と前記第２上限所定値とを異ならせ」ることに相当する。
　よって、引用発明の構成ｃ、ｆ１〜ｆ３、ｇ１〜ｇ３、ｉ１〜ｉ３、ｊ１は、本願発明の構成Ｆ３、Ｇ３、Ｉ３に相当する構成を含んでいる。
コ　構成Ｊ１について
　上記ウより、引用発明の「管理者設定値」、「第２出力設定スイッチ１９４」は、それぞれ、本願発明の「甲値」、「甲操作手段」に相当することを踏まえると、
　引用発明において、
「第２出力設定スイッチ１９２による管理者設定値に基づいて設定された音量の調整可能範囲である目盛り０〜５からなる遊技者設定値のうち、最大音量である目盛り５に対応する」ことは、
　本願発明において、
「前記甲操作手段により得られた前記甲値に基づいて」いることに相当し、
　また、引用発明の
「扉開放エラーが発生したことを契機として」「変更」される「エラー音の音量（音圧）」、
「変更する」こと、はそれぞれ、
　本願発明の
「エラー音に関するエラー音量」、
「設定可能であ」ることに相当する。
　よって、引用発明の構成ｃ、ｆ１〜ｆ３、ｇ１〜ｇ３、ｉ１〜ｉ３、ｊ１において、「扉開放エラーが発生したことを契機として」、「第２出力設定スイッチ１９２による管理者設定値に基づいて設定された音量の調整可能範囲である目盛り０〜５からなる遊技者設定値のうち、最大音量である目盛り５に対応する」「エラー音の音量（音圧）」に「変更する」ことは、本願発明の構成Ｊ１と、前記甲操作手段により得られた前記甲値に基づいて、前記エラー音に関するエラー音量を設定可能である点で共通する。
サ　構成Ｊ２について
　上記コで検討したとおり、引用発明の「エラー音の音量（音圧）」は、本願発明の「エラー音に関するエラー音量」に相当し、
　引用発明の「扉開放エラーが発生したこと」は、本願発明の「エラー発生中」に相当し、　
　引用発明の構成ａにおいて、「エラー音」が、「スピーカ１２０から出力」されることは、本願発明において、「エラー音を」「出力」することに相当するから、
　引用発明において、「扉開放エラーが発生したことを契機として」、「エラー音」が、「変更」された「エラー音の音量（音圧）」で「スピーカ１２０から出力」されることは、本願発明の構成Ｊ２と、エラー発生中は、前記エラー音を前記エラー音量にて出力する点で共通する。
２　一致点・相違点
　上記ア〜コによれば、本願発明と引用発明は、
　一致点
「Ａ　本体後側に配置され且つ複数段階の甲値に関する選択操作が可能な甲操作手段と、
Ｂ　本体前側に配置され且つ複数段階の乙値に関する選択操作が可能な乙操作手段と、
Ｃ’　前記甲操作手段により得られた前記甲値及び前記乙操作手段により得られた前記乙値に基づいて、通常音に関する音量である所定値を設定可能な所定値設定手段とを備えた
Ｅ　遊技機において、
Ｆ１　前記甲操作手段の操作により第１甲値が選択され且つ前記乙操作手段の操作により第１乙値が選択された場合に第１所定値が設定され、
Ｆ２　前記甲操作手段の操作により前記第１甲値が選択され且つ前記乙操作手段の操作により前記第１乙値よりも大となる第２乙値が選択された場合に第２所定値が設定され、
Ｇ１　前記甲操作手段の操作により第２甲値が選択され且つ前記乙操作手段の操作により前記第１乙値が選択された場合に第３所定値が設定され、
Ｇ２　前記甲操作手段の操作により前記第２甲値が選択され且つ前記乙操作手段の操作により前記第２乙値が選択された場合に第４所定値が設定され、
Ｉ１　前記第１所定値と前記第３所定値とを同一とし、
Ｉ２　前記第１所定値と前記第２所定値との変化量と、前記第３所定値と前記第４所定値との変化量とを異ならせ、
Ｆ３　前記第１甲値が選択され且つ前記乙操作手段の操作により選択可能な上限乙値が選択されている場合に第１上限所定値が設定され、
Ｇ３　前記第２甲値が選択され且つ前記乙操作手段の操作により選択可能な上限乙値が選択されている場合に第２上限所定値が設定され、
Ｉ３　前記第１上限所定値と前記第２上限所定値とを異ならせ、
Ｊ１’　前記甲操作手段により得られた前記甲値に基づいて、前記エラー音に関するエラー音量を設定可能であり、
Ｊ２’　エラー発生中は、前記エラー音を前記エラー音量にて出力する
Ｅ　遊技機。」
である点で一致し、次の点で相違する。
　相違点
（１）相違点１（構成Ｃについて）
　所定値設定手段が設定可能な所定値が、本願発明は、「エラー音を含まない通常音に関する音量である」のに対し、引用発明の「音量（音圧）」が、扉開放エラー以外のエラー音を含まないかどうか不明である点。
（２）相違点２（構成Ｄについて）
　本願発明は、「電源投入時に、所定条件に基づいて実行されるＲＡＭクリア処理を含む電源投入処理を実行するように構成され」ているのに対し、引用発明は、そのような構成を備えているかどうか明らかでない点。
（３）相違点３（構成Ｊ１について）
　エラー音に関するエラー音量を設定するために、本願発明は、「エラー音設定テーブルから」設定するのに対し、引用発明は、そのような構成を備えていない点。
（４）相違点４（構成Ｊ２について）
　エラー発生中にエラー音量で出力されるエラー音について、本願発明は、エラーの種類として、「前記ＲＡＭクリア処理が行われたことを報知するＲＡＭクリア報知中を含む」とともに、エラー音として、「ＲＡＭクリア報知音を含む」のに対し、引用発明は、そのような構成を備えているかどうか明らかでない点。
（５）相違点５（構成Ｊ３について）
　本願発明は、「前記甲値を変更した場合、前記エラー音設定テーブルの参照先は変化する一方、前記所定値の値にかかわらず、前記エラー音量として共通の特定値を参照することで、当該エラー音量が変化しないように構成され」ているのに対し、引用発明は、そのような構成を備えていない点。
（６）相違点６（構成Ｊ４について）
　本願発明は、「前記特定値は、前記第１上限所定値及び前記第２上限所定値よりも大きな値であ」るのに対し、引用発明は、そのような構成を備えていない点。
（７）相違点７（構成Ｊ５について）
　本願発明は、「前記ＲＡＭクリア報知中は、前記甲操作手段による前記所定値の設定を可能とする」のに対し、引用発明は、そのような構成を備えていない点。
３　判断
　事案に鑑み、相違点５及び相違点６について検討する。
（１）相違点５について
ア　引用文献２に記載の技術の
「音量設定スイッチ３００」、
「音量設定スイッチ３００の状態」である「スイッチ０」、「スイッチ１」、「スイッチ２」、「スイッチ３」及び「スイッチ０〜スイッチ３」、
「エラー発生時に参照するエラー時用の音量テーブル」、
「エラー時用の音量テーブルのスイッチ０〜スイッチ３のすべてに対して」「設定された」「通常時の音量テーブルにおける最大音量の「大」音量よりも大きな音量」は、それぞれ、
　本願発明の
「甲操作手段」、
「甲値」、
「エラー音設定テーブル」、
「エラー音に関するエラー音量」に相当する。
　そして、引用文献２に記載の技術において、「エラー発生時に参照するエラー時用の音量テーブル」が、「エラー時用の音量テーブルのスイッチ０〜スイッチ３のすべてに対して」「音量」が「設定され」ていることは、本願発明において、「前記甲値を変更した場合、前記エラー音設定テーブルの参照先は変化する」ことに相当する構成を備えているといえる。
　そうすると、「エラー発生時に参照するエラー時用の音量テーブル」が、「エラー時用の音量テーブルのスイッチ０〜スイッチ３のすべてに対して」「音量」が「設定され」ている引用文献２に記載の技術は、本願発明の構成Ｊ３と、甲値を変更した場合、エラー音設定テーブルの参照先は変化するという点で共通する。
イ　しかし、引用文献２に記載の技術は、「効果音の音量を」、「音量設定スイッチ３００」（本願発明の「甲操作手段」に相当。）「の４つの状態（スイッチ０〜３）の中から何れかの状態を選択することによって」「設定可能」としているから、本願発明の構成Ｃの「前記甲操作手段により得られた前記甲値」に相当する構成を有する一方、同構成Ｃの「乙操作手段」及び「乙値」に相当する構成を有しない。
ウ　ここで、本願発明の構成Ｊ３における「前記所定値の値にかかわらず」という事項は、当該「所定値」が、構成Ｃにおいて、「前記甲操作手段により得られた前記甲値及び前記乙操作手段により得られた前記乙値に基づいて、」「設定可能」と特定され、構成Ｊ３において、「前記甲値を変更した場合」について特定されていることを踏まえると、乙値が異なっていても、ということを意味していると認められる。
　しかし、上記イのとおり、引用文献２には、本願発明の「乙値」に相当する構成が記載も示唆もされていないので、本願発明の構成Ｊ３の「前記甲値を変更した場合、前記エラー音設定テーブルの参照先は変化する一方、前記所定値の値にかかわらず、前記エラー音量として共通の特定値を参照することで、当該エラー音量が変化しないように構成され」ているという構成が記載されているとは認められない。
（２）相違点６について
ア　上記（１）イと同様、引用文献２に記載の技術は、本願発明の構成Ｆ３及び構成Ｇ３の「乙操作手段」及び「乙値」に相当する構成を有しないから、そもそも、引用文献２には、「前記第１甲値が選択され且つ前記乙操作手段の操作により選択可能な上限乙値が選択されている場合に」「設定され」る「第１上限所定値」（構成Ｆ３）及び「前記第２甲値が選択され且つ前記乙操作手段の操作により選択可能な上限乙値が選択されている場合に」「設定され」る「第２上限所定値」（構成Ｇ３）という構成が記載されていないのであるから、同構成Ｊ４の「前記第１上限所定値及び前記第２上限所定値よりも大きな値であ」る「前記特定値」という構成も当然に記載されているとはいえない。
イ　よって、引用文献２には、本願発明の構成Ｊ４における「前記特定値は、前記第１上限所定値及び前記第２上限所定値よりも大きな値であ」るという構成が記載されているとは認められない。
（３）上記（１）、（２）から、相違点５及び相違点６は、引用文献２に記載されていないから、引用発明に引用文献２に記載の技術を採用できたとしても、相違点５及び相違点６に係る本願発明の構成が、当業者にとって想到容易であるとはいえない。
（４）したがって、本願発明は、その余の相違点である相違点１〜４及び相違点７を検討するまでもなく、当業者であっても、引用発明及び引用文献２に記載の技術に基いて、容易に発明をすることができたものであるとはいえない。
第７　原査定について
　審判請求時の補正により、本願発明は、「前記所定値の値にかかわらず、前記エラー音量として共通の特定値を参照することで、当該エラー音量が変化しないように構成され」ているという構成（構成Ｊ３）及び「前記特定値は、前記第１上限所定値及び前記第２上限所定値よりも大きな値であ」るという構成（構成Ｊ４）を有するものとなっており、当業者であっても、原査定において引用された引用文献１及び引用文献２に基いて、容易に発明をすることができたものであるとはいえない。
　したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。